(57)【要約】【課題】原稿のカラー読み取り及びモノクロ読み取りにおいて、読み取り速度、画質、及び光量を統一できる画像処理装置を提供する。【解決手段】カラー用ラインセンサ、及び前記カラー用ラインセンサよりも高い感度を有するモノクロ用ラインセンサを備えたスキャナ１７と、前記モノクロ用ラインセンサにより前記原稿を読み取る際のラインごとの蓄光時間を、前記カラー用ラインセンサにより前記原稿を読み取る際のラインごとの蓄光時間よりも短くなるように制御する制御部２１と、制御部２１による制御下で前記モノクロ用ラインセンサにより前記原稿を読み取ることによって得られた複数のモノクロのラインデータを、ダウンサンプリングする変換部２２とを備える。【選択図】図６
2008131473.tif 000002
【特許請求の範囲】
【請求項１】
カラー用ラインセンサ、及び前記カラー用ラインセンサよりも高い感度を有するモノクロ用ラインセンサを用いて原稿を光学的に読み取る画像処理装置であって、
前記モノクロ用ラインセンサにより前記原稿を読み取る際のラインごとの蓄光時間を、前記カラー用ラインセンサにより前記原稿を読み取る際のラインごとの蓄光時間よりも短くなるように制御する制御手段と、
前記制御手段による制御下で前記モノクロ用ラインセンサにより前記原稿を読み取ることによって得られた複数のモノクロのラインデータを、ダウンサンプリングする変換手段と
を備えることを特徴とする画像処理装置。
【請求項２】
前記カラー用ラインセンサの感度が前記モノクロ用ラインセンサの感度のｍ／ｎ（ｍ＜ｎ、ｍ及びｎは自然数）である場合に、
前記制御手段は、前記モノクロ用ラインセンサでの蓄光時間を前記カラー用ラインセンサでの蓄光時間のｍ／ｎとし、
前記変換手段は、前記複数のモノクロのラインデータをｍ／ｎのサンプリングレートにダウンサンプリングする
ことを特徴とする請求項１に記載の画像処理装置。
【請求項３】
前記変換手段は、前記モノクロのラインデータのｎ個ごとにｎ−ｍ個を均等に破棄することによって、前記ダウンサンプリングを行う
ことを特徴とする請求項２に記載の画像処理装置。
【請求項４】
前記変換手段は、前記複数のモノクロのラインデータにローパスフィルタ処理を施し、フィルタ処理後のモノクロのラインデータのｎ個ごとにｎ−ｍ個を均等に破棄する
ことを特徴とする請求項３に記載の画像処理装置。
【請求項５】
プリンタと、
ファクシミリ通信手段と、
ネットワーク通信手段と、
カラー用ラインセンサ、及び前記カラー用ラインセンサよりも高い感度を有するモノクロ用ラインセンサを用いて原稿を光学的に読み取るスキャナと、
前記モノクロ用ラインセンサにより前記原稿を読み取る際のラインごとの蓄光時間を、前記カラー用ラインセンサにより前記原稿を読み取る際のラインごとの蓄光時間よりも短くなるように制御する制御手段と、
前記制御手段による制御下で前記モノクロ用ラインセンサにより前記原稿を読み取ることによって得られた複数のラインデータを、ダウンサンプリングする変換手段と、
前記ダウンサンプリング後のラインデータを、前記プリンタ、前記ファクシミリ通信手段、及び前記ネットワーク通信手段のうちの少なくとも１つへ転送することによって、前記原稿のコピー、ファクシミリ送信、前記ネットワーク通信手段を介して接続される端末装置への送信のうちの少なくとも１つを行う出力手段と
を備えることを特徴とするネットワーク複合機。
【発明の詳細な説明】
【技術分野】
【０００１】
本発明は、スキャナで原稿を読み取る画像処理装置及びネットワーク複合機に関し、特に、カラー及びモノクロの両方で原稿を読み取る技術に関する。
【背景技術】
【０００２】
近年、省スペース化を指向して、コピー機能、ファクシミリ通信機能、及びネットワーク通信機能を一台で兼ね備えたネットワーク複合機の普及が進んでいる。ネットワーク複合機のいくつかの機種は、モノクロのみならずカラーで原稿を処理することができる。そのような機種は、原稿をモノクロ及びカラーで読み取るために、例えば４ラインＣＣＤ（Ｃｈａｒｇｅ  Ｃｏｕｐｌｅｄ  Ｄｅｖｉｃｅ）センサを用いたスキャナを備えている。
【０００３】
４ラインＣＣＤセンサは、周知のように、４つのラインセンサを一体に備え、それぞれのラインセンサでモノクロ及び異なる３色のカラー成分を検出する。ここで一般的に、カラー用のラインセンサの実効的な感度は、色フィルタが設けられることから、モノクロ用のラインセンサの実効的な感度よりも低い。
【０００４】
従来、両者の感度差を相殺してそれぞれのラインセンサから同じ出力レベルの信号を得るために、原稿をカラー読み取りする際の読み取り速度をモノクロ読み取りする際の読み取り速度に比べて低下させる技術（特許文献１）や、４ラインＣＣＤセンサの前面に減光フィルタを挿抜することで、原稿をモノクロ読み取りする際にラインセンサに到達する光量をカラー読み取りの際に比べて抑制する技術（特許文献２）が知られている。
【０００５】
それぞれのラインセンサから同じ出力レベルの信号（以下簡明に、同じ画質とも言う）が得られることは、その信号を後段で処理する装置の合理化に役立つ。
【特許文献１】特開２００５−３３８０７号公報
【特許文献２】特開２００５−２７０９１号公報
【発明の開示】
【発明が解決しようとする課題】
【０００６】
しかしながら、カラー及びモノクロのそれぞれのラインセンサから同じ画質を得るために、上記特許文献１に記載された技術では、カラー読み取りとモノクロ読み取りとで異なる原稿の読み取り速度を適正に制御する必要があり、また、上記特許文献２に記載された技術では、減光フィルタの挿抜によりカラー読み取りとモノクロ読み取りとで異なる適正な光量を制御する必要がある。なお、光量の制御は、原稿を照明する光源の強度を変更しても可能であるが、その場合でも、カラー読み取りとモノクロ読み取りとで異なる光量を制御する必要があることには変わりがない。
【０００７】
このことは、カラー読み取り及びモノクロ読み取りの制御を煩雑にする。また、ネットワーク複合機において様々な態様で応用的に原稿を読み取りたいという利用者のニーズがあるところ、一例として、原稿を一度にカラー及びモノクロの両方で読み取り、読み取ったカラーデータ又はモノクロデータを後で選択的に利用するといった応用を不可能にしている。さらに、上記特許文献１に記載された技術では、カラーとモノクロとで原稿の読み取り速度が異なることに対して利用者が違和感を覚えるおそれもある。
【０００８】
本発明は、このような状況に鑑みてなされたものであり、カラー用ラインセンサ及びモノクロ用ラインセンサに感度差がある場合でも、カラー読み取り及びモノクロ読み取りにおける画質、読み取り速度、及び光量を統一できる画像処理装置及びネットワーク複合機を提供することを目的とする。
【課題を解決するための手段】
【０００９】
上記目的を達成するために、本発明に係る画像処理装置は、カラー用ラインセンサ、及び前記カラー用ラインセンサよりも高い感度を有するモノクロ用ラインセンサを用いて原稿を光学的に読み取る画像処理装置であって、前記モノクロ用ラインセンサにより前記原稿を読み取る際のラインごとの蓄光時間を、前記カラー用ラインセンサにより前記原稿を読み取る際のラインごとの蓄光時間よりも短くなるように制御する制御手段と、前記制御手段による制御下で前記モノクロ用ラインセンサにより前記原稿を読み取ることによって得られた複数のモノクロのラインデータを、ダウンサンプリングする変換手段とを備える。
【００１０】
この構成によれば、モノクロ用ラインセンサ及びカラー用ラインセンサの感度差が相殺されるので、モノクロとカラーとで統一された光量の下で、それぞれのラインセンサから得られるラインデータの出力レベルを揃えることができる。このとき、モノクロとカラーとで統一された速度で原稿を読み取れば、モノクロのラインデータについて、カラーのラインデータに比べて蓄光時間が短い分、必要以上のライン解像度が得られることがあるが、そのような場合でも、モノクロのラインデータをダウンサンプリングによって望ましいライン解像度に落とすので、不都合は生じない。
【００１１】
また、前記カラー用ラインセンサの感度が前記モノクロ用ラインセンサの感度のｍ／ｎ（ｍ＜ｎ、ｍ及びｎは自然数）である場合に、前記制御手段は、前記モノクロ用ラインセンサでの蓄光時間を前記カラー用ラインセンサでの蓄光時間のｍ／ｎとし、前記変換手段は、前記複数のモノクロのラインデータをｍ／ｎのサンプリングレートにダウンサンプリングすることが望ましい。
【００１２】
この構成によれば、モノクロとカラーとで統一された速度で原稿を読み取った上で、ラインデータの出力レベル、光量、そしてライン解像度までも統一することができる。
【００１３】
また、前記変換手段は、前記複数のモノクロのラインデータのｎ個ごとにｎ−ｍ個を均等に破棄することによって、前記ダウンサンプリングを行ってもよく、その際、前記複数のモノクロのラインデータにローパスフィルタ処理を施し、フィルタ処理後のモノクロのラインデータのｎ個ごとにｎ−ｍ個を均等に破棄すれば、ダウンサンプリングにより生じるエイリアスを軽減できる。
【００１４】
なお、本発明は、このような画像処理装置として実現できるだけでなく、このような画像処理装置を内蔵するネットワーク複合機として実現することもできる。
【発明の効果】
【００１５】
本発明に係る画像処理装置及びネットワーク複合機では、カラー用ラインセンサの感度がモノクロ用ラインセンサの感度よりも低い場合に、モノクロ用ラインセンサでの蓄光時間をカラー用ラインセンサでの蓄光時間よりも短くするので、モノクロとカラーとで統一された光量の下で、それぞれのラインセンサから得られるラインデータの出力レベルを揃えることができる。
【００１６】
このとき、モノクロとカラーとで統一された速度で原稿を読み取れば、モノクロのラインデータについて、カラーのラインデータに比べて蓄光時間が短い分、必要以上のライン解像度が得られることがあるが、そのような場合でも、モノクロのラインデータをダウンサンプリングによって望ましい（例えば、カラーのラインデータと同等の）ライン解像度に落とすので、不都合は生じない。
【００１７】
従って、本発明に係る画像処理装置及びネットワーク複合機は、カラー読み取り及びモノクロ読み取りにおける画質、読み取り速度、及び光量を統一することができる。
【００１８】
これにより、カラーとモノクロとで原稿の読み取り速度が異なることに対して利用者が違和感を覚えるおそれはなくなり、また、一例として、原稿を一度にカラー及びモノクロの両方で読み取り、読み取ったカラーデータ又はモノクロデータを後で選択的に利用するといった応用が可能となり、その実用的価値は極めて高い。
【発明を実施するための最良の形態】
【００１９】
以下、本発明の実施の形態について図面を用いて詳細に説明する。
【００２０】
図１は、本発明に係るネットワーク複合機を含む通信システムの構成の一例を示す図である。
【００２１】
この通信システムは、ネットワーク複合機１及び２、端末装置３及び４、ＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆電話交換回線網）５、並びにＬＡＮ（Ｌｏｃａｌ  Ａｒｅａ  Ｎｅｔｗｏｒｋ）６から構成される。
【００２２】
ここで、ネットワーク複合機１が本発明に係る画像処理装置の一例としてのネットワーク複合機であり、ＰＳＴＮ５を介してネットワーク複合機２と接続され、またＬＡＮ６を介して端末装置３及び４と接続される。
【００２３】
ネットワーク複合機１は、スキャナで読み取った原稿を、ＰＳＴＮ５を介してネットワーク複合機２へファクシミリ送信し、ＬＡＮ６を介して端末装置３及び４へ送信し、また内蔵されるプリンタでプリントアウトする。
【００２４】
図２は、ネットワーク複合機１のハードウェア構成の一例を示すブロック図である。
【００２５】
ネットワーク複合機１は、カラー用ラインセンサ、及びそのカラー用ラインセンサよりも高い感度を有するモノクロ用ラインセンサが一体に設けられてなる４ラインＣＣＤセンサを用いて原稿を光学的に読み取る画像処理装置の一例であって、ＣＰＵ（Ｃｅｎｔｒａｌ  Ｐｒｏｃｅｓｓｉｎｇ  Ｕｎｉｔ）１０、ＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、モデム１３、ＮＣＵ（Ｎｅｔｗｏｒｋ  Ｃｏｎｔｒｏｌ  Ｕｎｉｔ）１４、操作パネル１５、ディスプレイ１６、スキャナ１７、プリンタ１８、及びＬＡＮＩ／Ｆ（ＬＡＮ  インターフェース）１９を備える。この４ラインＣＣＤセンサは、スキャナ１７に設けられる。
【００２６】
ネットワーク複合機１は、前記モノクロ用ラインセンサにより前記原稿を読み取る際のラインごとの蓄光時間を、前記カラー用ラインセンサにより前記原稿を読み取る際のラインごとの蓄光時間よりも短くなるように制御すると共に、前記制御下で、前記モノクロ用ラインセンサにより前記原稿を読み取ることによって得られた複数のラインデータをダウンサンプリングすることを特徴とする。
【００２７】
ＣＰＵ１０は、ＲＯＭ１１に格納された制御プログラム１１ａを実行することにより、ネットワーク複合機１の全体を制御する。
【００２８】
ＣＰＵ１０は、特徴的な処理として、原稿を読み取る際にスキャナ１７のモノクロ用ラインセンサ及びカラー用ラインセンサに対して上述した蓄光時間の制御を行うと共に、モノクロ用ラインセンサで得られたラインデータをダウンサンプリングする。
【００２９】
そして、ダウンサンプリングされたモノクロのラインデータ、及びカラー用ラインセンサで得られたカラーのラインデータをＲＡＭ１２に保持し、保持されたラインデータをＲＡＭ１２からプリンタ１８、モデム１３、及びＬＡＮＩ／Ｆ１９へ転送する。これにより、それぞれ原稿のコピー、ファクシミリ送信、及び端末装置３等への送信が行われる。
【００３０】
ＲＯＭ１１は、ＣＰＵ１０が実行する制御プログラム１１ａを保持する読み出し専用メモリである。
【００３１】
ＲＡＭ１２は、ＣＰＵ１０が制御プログラム１１ａを実行する際に用いられるワークデータ、及びスキャナ１７から得られたラインデータを保持する読み書き可能なメモリである。
【００３２】
モデム１３は、ＲＡＭ１２に保持されたラインデータをファクシミリ信号に変調して送信し、また外部から受信されたファクシミリ信号をラインデータに復調する。モデム１３は、例えばＧ３規格に準拠したファックスモデムである。
【００３３】
ＮＣＵ１４は、モデム１３とＰＳＴＮ５との接続を制御する網制御装置である。
【００３４】
操作パネル１５は、利用者からの操作を受け付けるタッチパネルである。
【００３５】
ディスプレイ１６は、利用者への操作ガイドや、ネットワーク複合機１の動作状態を表示する表示装置であり、例えばＬＣＤ（Ｌｉｑｕｉｔ  Ｃｒｙｓｔａｌ  Ｄｉｓｐｌａｙ：液晶表示装置）である。
【００３６】
スキャナ１７は、画像読み取り装置であり、ＣＰＵ１０の制御下で、４ラインＣＣＤセンサを用いて原稿を光学的に読み取ることによって得たラインデータを出力する。
【００３７】
プリンタ１８は、印刷装置であり、ＣＰＵ１０の制御下で、例えばＲＡＭ１２に保持されたラインデータによって表される原稿イメージを印刷出力する。
【００３８】
ＬＡＮＩ／Ｆ１９は、ネットワーク複合機１とＬＡＮ６とを接続する通信アダプタであり、ＣＰＵ１０の制御下で、例えばＲＡＭ１２に保持されたラインデータを端末装置３等へ送信する。
【００３９】
次に、スキャナ１７に関して、本発明に関わる事項について簡略に説明する。
【００４０】
図３は、スキャナ１７の主要部を示す側面図である。
【００４１】
スキャナ１７は、自動原稿供給方式及びフラットベッドスキャン方式で原稿を読み取ることができるスキャナであり、原稿読み取り部１７０、原稿載置部１８０、及び原稿給送部１９０で構成される。
【００４２】
原稿読み取り部１７０は、コンタクトガラス１７１、スリットガラス１７２、キャリッジ１７３、光源１７４、４ラインＣＣＤセンサ１７５、移動機構１７６、及び移動モータ１７７を含む。キャリッジ１７３は移動機構１７６に取り付けられ、移動モータ１７７の動作に応じて、キャリッジ１７３に組み付けられた光源１７４、及び４ラインＣＣＤセンサ１７５と共に紙面の左右方向に移動する。
【００４３】
移動機構１７６は、ボールねじ、円筒カム、直動案内、ベルト、プーリ等の周知の機械要素を適宜組み合わせて実現される。移動モータ１７７はリニアモータであってもよい。
【００４４】
原稿載置部１８０は、原稿読み取り部１７０に回動開閉可能に取り付けられる。
【００４５】
原稿給送部１９０は、給送ローラ１９１、及び給送モータ１９２を含む。給送ローラ１９１は、スリットガラス１７２を経由する原稿の通路を形成し、給送モータ１９２の動作に応じて、その通路に沿って原稿を移送する。
【００４６】
この構成において、自動原稿供給方式で原稿を読み取る際には、キャリッジ１７３をスリットガラス１７２下で静止させた後、原稿給送部１９０は原稿を原稿載置部１８０から取り込んで前記通路に沿って移送しつつ、スリットガラス１７２越しに４ラインＣＣＤセンサ１７５で原稿を読み取ることによりラインデータを得る。
【００４７】
また、フラットベッドスキャン方式で原稿を読み取る際には、押え蓋として機能する原稿載置部１８０で原稿をコンタクトガラス１７１に押圧静止させた後、移動機構１７６によってキャリッジ１７３を移動させつつ、コンタクトガラス１７１越しに４ラインＣＣＤセンサ１７５で原稿を読み取ることによりラインデータを得る。
【００４８】
なお、フラットベッドスキャン方式を実現する他の構成（図示せず）として、４ラインＣＣＤセンサをキャリッジには組み付けず、キャリッジの移動中にも静止させたままで用いる構成がある。この構成では、光源及びミラーが組み付けられた第１キャリッジと、ミラーが組み付けられ、かつ第１のキャリッジの半分の速度で移動する第２キャリッジとを介して原稿からの反射光を４ラインＣＣＤセンサに導き、原稿を読み取る。
【００４９】
これらの構成において、原稿とキャリッジ１７３との相対速度は、移動モータ１７７及び給送モータ１９２の動作速度に応じて定まる。ＣＰＵ１０は、原稿をモノクロで読み取る場合とカラーで読み取る場合とで、原稿とキャリッジ１７３との相対速度が統一された速度になるように、移動モータ１７７及び給送モータ１９２を制御する。
【００５０】
この相対速度が、原稿の読み取り速度のことであり、一般には原稿の送り速度、走査速度などと呼ばれることもある。
【００５１】
また、ＣＰＵ１０は、原稿をモノクロで読み取る場合とカラーで読み取る場合とで、統一された光量で原稿を照明するように、光源１７４の発光量を同一に制御する。
【００５２】
次に、４ラインＣＣＤセンサ１７５の構成及び動作について説明する。
【００５３】
図４は、４ラインＣＣＤセンサ１７５の構成の一例を概念的に示す図である。
【００５４】
４ラインＣＣＤセンサ１７５は、平行に設けられたラインセンサ１７５Ｙ、ラインセンサ１７５Ｒ、ラインセンサ１７５Ｇ、及びラインセンサ１７５Ｂを備える。それぞれのラインセンサは、所定の密度で直線に並べられそれぞれが光電変換を行う複数の画素回路と、各画素回路での光電変換の結果信号を順次外部へ出力するＣＣＤとからなる（図示せず）。
【００５５】
ラインセンサ１７５Ｒ、ラインセンサ１７５Ｇ、及びラインセンサ１７５Ｂには、それぞれ固有の色フィルタが設けられることにより、例えば赤、緑、及び青の各色成分を検出するカラー用ラインセンサとして機能する。ラインセンサ１７５Ｙには色フィルタは設けられず、明るさのみを検出するモノクロ用ラインセンサとして機能する。
【００５６】
カラー用のラインセンサ１７５Ｒ、ラインセンサ１７５Ｇ、及びラインセンサ１７５Ｂの実効的な感度は、色フィルタが設けられることにより、モノクロ用のラインセンサ１７５Ｙの感度よりも低い。
【００５７】
図５は、１つのラインセンサの動作タイミングの一例について、モノクロ用のラインセンサ１７５Ｙを代表して説明する図である。ラインセンサ１７５Ｙにおける各画素回路は、ＣＰＵ１０の制御下で与えられるライン同期Ｙがローレベルの期間に光電変換（蓄光とも言う）を行う。この期間の長さはライン同期Ｙの周期に比例し、図５において１ラインの蓄光時間と示されている。
【００５８】
各画素回路は、ライン同期Ｙがハイレベルになると、光電変換を終了してその結果信号をＣＣＤへ転送する。ライン同期Ｙが再びローレベルになり、各画素回路が次の光電変換を開始すると、ＣＣＤは、転送された直前の光電変換の結果信号を、ラインデータＹとして、ＣＰＵ１０の制御下で与えられるクロックＹに同期して画素ごとに順次出力する。
【００５９】
カラー用のラインセンサ１７５Ｒ、ラインセンサ１７５Ｇ、ラインセンサ１７５Ｂは、ライン同期Ｙ及びクロックＹとは別の独立したライン同期Ｃ及びクロックＣに従って、同様に動作する。
【００６０】
４ラインＣＣＤセンサ１７５では、モノクロ用とカラー用とで独立した２組のライン同期とクロックとを用いるため、モノクロ用のラインセンサ１７５Ｙ（以下、単にモノクロ用ラインセンサと言う）での蓄光時間、及びカラー用のラインセンサ１７５Ｒ、ラインセンサ１７５Ｇ、ラインセンサ１７５Ｂ（以下、単にカラー用ラインセンサと言う）での蓄光時間が独立して制御される。
【００６１】
具体的に、各カラー用ラインセンサの実効的な感度がモノクロ用ラインセンサの実効的な感度のｍ／ｎ（ｍ＜ｎ、ｍ及びｎは自然数）である場合に、ＣＰＵ１０は、ライン同期Ｃとライン同期Ｙとの周波数比、及びクロックＣとクロックＹとの周波数比を、感度の比と等しいｍ：ｎになるように制御して、それらの信号を４ラインＣＣＤセンサ１７５へ供給する。
【００６２】
ＣＰＵ１０は、例えばソフトウェア処理によってそれらの信号を生成して４ラインＣＣＤセンサ１７５へ供給してもよく、また、例えば電圧制御発振器などによって実現される外部の生成回路にそれらの信号を生成させて４ラインＣＣＤセンサ１７５へ供給してもよい。
【００６３】
このとき、ライン同期Ｃとライン同期Ｙとの周期の比は感度の逆比であり、ライン同期Ｃの周期を１とすれば、ライン同期Ｙの周期はそれよりも短いｍ／ｎである。この周期の比（つまり感度の逆比）が蓄光時間の比であることから、カラー用ラインセンサとモノクロ用ラインセンサとの感度差は相殺され、統一された光量の下で各ラインセンサから同じ出力レベルのラインデータが得られる。
【００６４】
図６は、本発明に関わるネットワーク複合機１の特徴的な機能構成を示すブロック図である。
【００６５】
図６には、図２に示されるＣＰＵ１０が制御プログラム１１ａを実行することによって実現されるソフトウェア機能のうち、特に本発明に関わる特徴的な画像処理機能を、画像処理部２０として示している。また、説明の便宜のため、図２に示されるいくつかのユニットを再び示している。これらのユニットには図２と同じ符号を付して説明を省略する。
【００６６】
画像処理部２０は、操作パネル１５から利用者の操作に応じた信号を受け付けることにより、原稿のコピー、ファクシミリ送信、端末装置への送信といった原稿の読み取りに関する利用者の操作を検出し、検出された操作に応じた処理を行う。画像処理部２０は、制御部２１、変換部２２、破棄部２３、及び出力部２４を含む。
【００６７】
制御部２１は、原稿をモノクロで読み取る場合とカラーで読み取る場合とで、原稿とキャリッジ１７３との相対速度が統一された速度となるように、スキャナ１７の移動モータ１７７及び給送モータ１９２を制御する。
【００６８】
また、カラー用ラインセンサの実効的な感度がモノクロ用ラインセンサの実効的な感度のｍ／ｎ（ｍ＜ｎ、ｍ及びｎは自然数）である場合に、周波数の比がｍ：ｎであるライン同期Ｃ、ライン同期Ｙ、及び周波数の比がｍ：ｎであるクロックＣ、クロックＹを生成し、スキャナ１７の４ラインＣＣＤセンサ１７５へ供給することによって、モノクロ用ラインセンサでの蓄光時間をカラー用ラインセンサでの蓄光時間のｍ／ｎとする。
【００６９】
変換部２２は、制御部２１によって供給されたライン同期Ｃ、ライン同期Ｙ、クロックＣ、及びクロックＹに応じて４ラインＣＣＤセンサ１７５から出力されたラインデータＹ、ラインデータＲ、ラインデータＧ、ラインデータＢを取得する。
【００７０】
ここで、原稿とキャリッジ１７３との相対速度は、原稿のモノクロ読み取りとカラー読み取りとで統一された速度に制御されるから、ラインデータＹについては、ラインデータＲ、ラインデータＧ、ラインデータＢと比べて、蓄光時間（ライン同期Ｙの周期）がｍ／ｎとなる分、ｎ／ｍ倍の数のサンプル（つまり、より高いライン解像度）が得られることに注意する。
【００７１】
破棄部２３は、取得されたラインデータＹのｎ個ごとにｎ−ｍ個を均等に破棄することによって、ラインデータＹをダウンサンプリングする。なお、ここで言う１個のラインデータＹとは、ライン同期Ｙの１周期に得られる１ライン分の個々の画素のデータの１組のことである。
【００７２】
このダウンサンプリングにより、維持されたラインデータＹのライン解像度は、ラインデータＲ、ラインデータＧ、ラインデータＢのライン解像度と同じになる。ラインデータＹの破棄に関する具体例については、後述する。
【００７３】
変換部２２は、例えば、取得されたラインデータＲ、ラインデータＧ、ラインデータＢに所定のしきい値を超える差がある場合に、読み取った原稿がカラー原稿であると判断して、そのラインデータＲ、ラインデータＧ、ラインデータＢを出力部２４へ転送する。そのような差がなければ、読み取った原稿がモノクロ原稿であると判断して、破棄部２３で破棄されなかった（つまり、維持された）ラインデータＹを出力部２４へ転送する。
【００７４】
出力部２４は、変換部２２から転送されたラインデータを、原稿のコピーの際にはプリンタ１８へ出力し、ファクシミリ送信の際にはモデム１３へ出力し、端末装置３等への送信の際にはＬＡＮＩ／Ｆ１９へ出力することにより、それぞれ原稿のコピー、ファクシミリ送信、及び端末装置３等への送信を実行する。
【００７５】
次に、ラインデータＹが破棄及び維持されるタイミングについて、具体例を挙げて説明する。
【００７６】
図７は、カラー用ラインセンサの実効的な感度がモノクロ用ラインセンサの実効的な感度の１／２である場合、つまりｍ＝１、ｎ＝２である場合の処理タイミングを説明する図である。
【００７７】
図７の横方向における位置は、時刻を表すと共に、原稿とキャリッジ１７３との相対位置をも表している。
【００７８】
周波数の比が１：２であるライン同期Ｃ、ライン同期Ｙが、４ラインＣＣＤセンサ１７５へ供給される。このとき、ライン同期Ｃの周期を１とすれば、ライン同期Ｙの周期は１／２である。この周期の比がカラー用ラインセンサとモノクロ用ラインセンサでの蓄光時間の比となり、両者の感度差が相殺されるために、ラインデータＹと、ラインデータＲ、ラインデータＧ、ラインデータＢとが同じ出力レベルで得られる。
【００７９】
ラインデータＹは、２個ごとに１個が均等に破棄される。つまり１つおきに破棄される。維持されたラインデータＹのライン解像度は、ラインデータＲ、ラインデータＧ、ラインデータＢのライン解像度と同等となる。
【００８０】
図８は、カラー用ラインセンサの実効的な感度がモノクロ用ラインセンサの実効的な感度の３／５である場合、つまりｍ＝３、ｎ＝５である場合の処理タイミングを説明する図である。
【００８１】
図８の横方向における位置は、時刻を表すと共に、原稿とキャリッジ１７３との相対位置をも表している。
【００８２】
周波数の比が３：５であるライン同期Ｃ、ライン同期Ｙが、４ラインＣＣＤセンサ１７５へ供給される。このとき、ライン同期Ｃの周期を１とすれば、ライン同期Ｙの周期は３／５である。この周期の比がカラー用ラインセンサとモノクロ用ラインセンサでの蓄光時間の比となり、両者の感度差が相殺されるために、ラインデータＹと、ラインデータＲ、ラインデータＧ、ラインデータＢとが同じ出力レベルで得られる。
【００８３】
ラインデータＹは、５個ごとに２個が均等に破棄される。
【００８４】
この均等性を得るために、例えばライン同期Ｃの周期の先頭を含まないライン同期Ｙの周期に得られたラインデータＹを破棄してもよい。その場合、図８に示されるように、Ｙ１〜Ｙ５のラインデータの中からＹ３及びＹ５が破棄され、Ｙ１、Ｙ２、及びＹ４が維持される。
【００８５】
また別法として、例えばラインデータＹを１つ維持した後、ライン同期Ｃが同じ周期にある間、後続のラインデータＹを破棄してもよい。その場合、Ｙ１〜Ｙ５のラインデータの中からＹ２及びＹ４が破棄され、Ｙ１、Ｙ３、及びＹ５が維持される（図示せず）。
【００８６】
維持されたラインデータＹのライン解像度は、ラインデータＲ、ラインデータＧ、ラインデータＢのライン解像度と同等となる。
【００８７】
なお、ラインデータＹのダウンサンプリングは、ここで説明したようないくつかのラインデータＹを単に破棄する方法のみならず、他の周知の方法によって行うこともできる。
【００８８】
例えば、ラインデータＹを、まずｍ倍にアップサンプリングした後、１／ｎ倍にダウンサンプリングすることによって、全体としてｍ／ｎ倍にダウンサンプリングしてもよい。
【００８９】
このとき、ラインデータＹにローパスフィルタ処理を施し、フィルタ処理後のラインデータＹをアップサンプリング及びダウンサンプリングすることが望ましい。このローパスフィルタ処理は、インターポレーションフィルタ及びデシメーションフィルタとして知られていて、アップサンプリング及びダウンサンプリングによって周波数領域に生じるノイズであるエイリアスの軽減に役立つ。このローパスフィルタ処理は、例えば、所定数のラインデータＹの同じ相対位置の画素データをデジタルフィルタで処理することによって、画素ごとに行われる。
【００９０】
以上説明したように、ネットワーク複合機１によれば、カラー用ラインセンサの感度がモノクロ用ラインセンサの感度よりも低い場合に、モノクロ用ラインセンサでの蓄光時間をカラー用ラインセンサでの蓄光時間よりも短くするので、モノクロとカラーとで統一された光量の下でそれぞれのラインセンサから得られるラインデータの出力レベルを揃えることができる。
【００９１】
このとき、モノクロとカラーとで統一された速度で原稿を読み取れば、モノクロのラインデータについて、カラーのラインデータに比べて蓄光時間が短い分、必要以上のライン解像度が得られることがある。
【００９２】
そのような場合でも、ネットワーク複合機１はモノクロのラインデータをダウンサンプリングによって望ましい（例えば、カラーのラインデータと同等の）ライン解像度に落とすので、モノクロとカラーとで統一された速度で、かつ不都合なく原稿を読み取ることができる。
【００９３】
従って、ネットワーク複合機１において、カラー読み取り及びモノクロ読み取りにおける画質、読み取り速度、及び光量の統一が可能となる。
【００９４】
これにより、実施の形態で述べたように、原稿を一度にカラー及びモノクロの両方で読み取り、読み取ったカラーデータ及びモノクロデータを選択的に利用するといった応用が可能となる。なお、利用するカラーデータ及びモノクロデータの選択は、実施の形態で述べたように自動的になされてもよく、また、利用者の操作に応じてなされてもよい。
【００９５】
原稿の両面にセンサを設けることによって、原稿の両面を一度に、カラー及びモノクロで読み取るといった応用も、もちろん可能である。さらには、複数の原稿を一定の速度で連続的に給送しつつ、ある原稿をカラーで読み取り、他の原稿をモノクロで読み取るといった応用も可能になる。そして、カラーとモノクロとで原稿の読み取り速度が異なることに対して利用者が違和感を覚えるおそれはもはや存在しない。
【００９６】
このように、ネットワーク複合機１により、利用者は極めて高い実用的な便宜を得ることができる。
【産業上の利用可能性】
【００９７】
本発明は、原稿をカラー及びモノクロの両方で光学的に読み取る画像処理装置として、例えば、ネットワーク複合機、ファクシミリ装置、スキャナ装置などに利用することができる。
【図面の簡単な説明】
【００９８】
【図１】本発明に係るネットワーク複合機を含む通信システムの構成の一例を示す図である。
【図２】ネットワーク複合機のハードウェア構成を示す図である。
【図３】スキャナの主要部を示す側面図である。
【図４】４ラインＣＣＤセンサの構成の一例を概念的に示す図である。
【図５】ラインセンサの動作タイミングの一例を示す図である。
【図６】ネットワーク複合機の特徴的な機能構成を示すブロック図である。
【図７】ラインデータが処理されるタイミングの具体例を示す図である。
【図８】ラインデータが処理されるタイミングの他の具体例を示す図である。
【符号の説明】
【００９９】
１、２  ネットワーク複合機
３、４  端末装置
５    ＰＳＴＮ
６    ＬＡＮ
１０    ＣＰＵ
１１    ＲＯＭ
１１ａ  制御プログラム
１２    ＲＡＭ
１３    モデム
１４    ＮＣＵ
１５    操作パネル
１６    ディスプレイ
１７    スキャナ
１８    プリンタ
１９    ＬＡＮＩ／Ｆ
２０    画像処理部
２１    制御部
２２    変換部
２３    破棄部
２４    出力部
１７０    原稿読み取り部
１７１    コンタクトガラス
１７２    スリットガラス
１７３    キャリッジ
１７４    光源
１７５    ４ラインＣＣＤセンサ
１７５Ｙ、１７５Ｒ、１７５Ｇ、１７５Ｂ  ラインセンサ
１７６    移動機構
１７７    移動モータ
１８０    原稿載置部
１９０    原稿給送部
１９１    給送ローラ
１９２    給送モータ
【図１】
2008131473.tif 000003
【図２】
2008131473.tif 000004
【図３】
2008131473.tif 000005
【図４】
2008131473.tif 000006
【図５】
2008131473.tif 000007
【図６】
2008131473.tif 000008
【図７】
2008131473.tif 000009
【図８】
2008131473.tif 000010